(57)【要約】【課題】  複数の表示画面で１つの表示画面を構成しても、フレーム等で画面が分割されることがなく、一つの表示画面として見せることが可能な表示装置及び遊技機を実現すること。【解決手段】  表示画面２６，２７からの光路Ｒは、光学レンズ６０，６１の端部６０ａ，６１ｂでは屈曲され、端部６０ａ，６１ｂ以外の場所では、平行に光学レンズ６０，６１を通過する。従って、遊技者が正面から表示画面２６，２７を目視した場合には、光学レンズ６０，６１の光路変更手段としての働きにより、フレーム部２６ａ，２７ａが目視されず、表示画面２６及び表示画面２７が、恰も一つの表示画面を構成するように見える。【選択図】  図１０
2006346349.tif 000002
【特許請求の範囲】
【請求項１】
互いに所定間隔を隔てて配置された複数の表示画面と、
当該複数の表示画面を一体化して一つの表示画面として表示する光路変更手段と
を備えたことを特徴とする表示装置。
【請求項２】
前記光路変更手段は、前記複数の表示画面に対応して設けられ、
当該複数の光路変更手段を互いに近接又は離反可能に移動させる駆動手段を備えたことを特徴とする請求項１に記載の表示装置。
【請求項３】
前記光路変更手段は、前記複数の表示画面に対応して複数設けられたことを特徴とする請求項１又は２に記載の表示装置。
【請求項４】
前記各表示画面に対向して前記光路変更手段が各々設けられ、
前記駆動手段は、前記光路変更手段と当該光路変更手段が対向配置された前記表示画面とを一体に移動させることを特徴とする請求項３に記載の表示装置。
【請求項５】
前記表示画面は、外周に所定幅のフレーム部を有する液晶表示画面であり、
当該複数の液晶表示画面のフレーム部が互いに当接した状態で、前記光路変更手段により、前記当接したフレーム部が目視できずに前記複数の液晶表示画面が一体化して一つの表示画面として表示されることを特徴とする請求項１乃至４の何れかに記載の表示装置。
【請求項６】
前記光路変更手段は、光学レンズであることを特徴とする請求項１乃至５の何れかに記載の表示装置。
【請求項７】
前記光路変更手段は、複数の光ファイバーを束ねて構成されたファイバープレートであることを特徴とする請求項１乃至５の何れかに記載の表示装置。
【請求項８】
前記請求項１乃至７の何れかに記載の表示装置を遊技盤に備えたことを特徴とする遊技機。
【請求項９】
前記請求項４乃至７の何れかに記載の表示装置が遊技盤に設けられ、
前記駆動手段の駆動により複数の表示画面が互いに離反したときに、その複数の表示画面の間から露出する遊技部材を設けたことを特徴とする遊技機。
【請求項１０】
前記請求項３、５乃至７の何れかに記載の表示装置が遊技盤に設けられ、
前記駆動手段の駆動により複数の光路変更手段が互いに離反したときに、その複数の光路変更手段の間から露出する遊技部材を設けたことを特徴とする遊技機。
【発明の詳細な説明】
【技術分野】
【０００１】
本発明は表示装置及び当該表示装置を備えた遊技機に関し、詳細には、複数の表示画面を１つの表示画面に見せることができる表示装置及び当該表示装置を備えた遊技機に関する。
【背景技術】
【０００２】
従来、パチンコ機やパチコン機等の遊技機では、遊技球が流下する遊技盤の中央に図柄を表示する液晶表示装置を備えたものが知られている（例えば、特許文献１及び２参照。）。また、表示ユニットを３行３列のマトリックスに配置して、９つの表示ユニットで１つの表示装置を構成した遊技機用表示装置も提案されている（例えば、特許文献３参照。）。
【０００３】
【特許文献１】特開平６−２３１０５号公報
【特許文献２】特開平６−７９０４２号公報
【特許文献３】特開平８−２４３２２７号公報
【発明の開示】
【発明が解決しようとする課題】
【０００４】
しかしながら、特許文献３に記載の発明のように、複数の表示ユニットを配置して、一つの表示画面を構成したものでは、１つの表示ユニットを液晶表示装置で構成すると、各表示ユニットの画面の周囲に、所定幅のフレーム部が存在するため、完全な一画面化の阻害要因となっていた。
【０００５】
このフレーム部が存在するために、表示画面は９つに分割され、折角、複数の表示画面で大きな一つの表示画面を構成してもフレーム部により、表示画面の完全な一画面化ができないという問題点があった。
【０００６】
本発明は、上記課題を解決するためになされたものであり、複数の表示画面で１つの表示画面を構成しても、フレーム部等で画面が分割されることがなく、一つの表示画面として見せることが可能な表示装置及び当該表示装置を備えた遊技機を実現することを目的とする。
【課題を解決するための手段】
【０００７】
上記課題を解決するため、請求項１に記載の表示装置は、互いに所定間隔を隔てて配置された複数の表示画面と、当該複数の表示画面を一体化して一つの表示画面として表示する光路変更手段とを備えている。
【０００８】
また、請求項２に係る発明の表示装置では、請求項１に記載の発明の構成に加えて、前記光路変更手段は、前記複数の表示画面に対応して設けられ、当該複数の光路変更手段を互いに近接又は離反可能に移動させる駆動手段を備えている。
【０００９】
また、請求項３に係る発明の表示装置では、請求項１又は２に記載の発明の構成に加えて、前記光路変更手段は、前記複数の表示画面に対応して複数設けられたことを特徴とする。
【００１０】
また、請求項４に係る発明の表示装置では、請求項３に記載の発明の構成に加えて、前記各表示画面に対向して前記光路変更手段が各々設けられ、前記駆動手段は、前記光路変更手段と当該光路変更手段が対向配置された前記表示画面とを一体に移動させることを特徴とする。
【００１１】
また、請求項５に係る発明の表示装置では、請求項１乃至４の何れかに記載の発明の構成に加えて、前記表示画面は、外周に所定幅のフレーム部を有する液晶表示画面であり、当該複数の液晶表示画面のフレーム部が互いに当接した状態で、前記光路変更手段により、前記当接したフレーム部が目視できずに前記複数の液晶表示画面が一体化して一つの表示画面として表示されることを特徴とする。
【００１２】
また、請求項６に係る発明の表示装置では、請求項１乃至５の何れかに記載の発明の構成に加えて、前記光路変更手段は、光学レンズであることを特徴とする。
【００１３】
また、請求項７に係る発明の表示装置では、請求項１乃至５の何れかに記載の発明の構成に加えて、前記光路変更手段は、複数の光ファイバーを束ねて構成されたファイバープレートであることを特徴とする。
【００１４】
また、請求項８に係る発明の遊技機では、請求項１乃至７の何れかに記載の表示装置を遊技盤に備えている。
【００１５】
また、請求項９に係る発明の遊技機では、請求項４乃至７の何れかに記載の表示装置が遊技盤に設けられ、前記駆動手段の駆動により複数の表示画面が互いに離反したときに、その複数の表示画面の間から露出する遊技部材を設けている。
【００１６】
また、請求項１０に係る発明の遊技機では、前記請求項３、５乃至７の何れかに記載の表示装置が遊技盤に設けられ、前記駆動手段の駆動により複数の光路変更手段が互いに離反したときに、その複数の光路変更手段の間から露出する遊技部材を設けている。
【発明の効果】
【００１７】
請求項１に係る発明の表示装置では、互いに所定間隔を隔てて配置された複数の表示画面を光路変更手段が一体化して一つの表示画面として表示することができる。従って、独立した複数の表示画面を擬似的な一画面とすることができる。また、一つの規格の表示画面を複数用いて、様々なサイズの表示画面を実現することができる。従って、表示器の汎用性が増し、如いては、一つの大型の表示画面を使用する場合に比べて、コストを低減することができる。
【００１８】
また、請求項２に係る発明の表示装置では、請求項１に記載の発明の効果に加えて、光路変更手段は、複数の表示画面に対応して設けられ、駆動手段は当該複数の光路変更手段を互いに近接又は離反可能に移動させるので、独立した複数の表示画面と、擬似的な一画面とを使い分けることが可能となり、演出の向上を図ることができる。
【００１９】
また、請求項３に係る発明の表示装置では、請求項１又は２に記載の発明の効果に加えて、光路変更手段は、複数の表示画面に対応して複数設けることができる。
【００２０】
また、請求項４に係る発明の表示装置では、請求項３に記載の発明の効果に加えて、前記各表示画面に対向して前記光路変更手段が各々設けられ、駆動手段は、光路変更手段と光路変更手段が対向配置された表示画面とを一体に移動させることができる。従って、独立した複数の表示画面と、擬似的な一画面とを使い分けることが可能となり、演出の向上を図ることができる。
【００２１】
また、請求項５に係る発明の表示装置では、外周に所定幅のフレーム部を有する液晶表示画面を用いて表示画面を構成した場合でも、当該複数の液晶表示画面のフレーム部が互いに当接した状態で、光路変更手段により、複数の液晶表示画面からの光路を変更して、前記フレーム部が目視できないようにして複数の液晶表示画面を一体化して一つの表示画面として表示することができる。
【００２２】
また、請求項６に係る発明の表示装置では、請求項１乃至５の何れかに記載の発明の効果に加えて、光学レンズを光路変更手段として用いて、複数の液晶表示画面からの光路を変更して、前記フレーム部が目視できないようにして複数の液晶表示画面を一体化して一つの表示画面として表示することができる。
【００２３】
また、請求項７に係る発明の表示装置では、請求項１乃至５の何れかに記載の発明の効果に加えて、複数の光ファイバーを束ねて構成されたファイバープレートを光路変更手段として用いて、複数の液晶表示画面からの光路を変更して、前記フレーム部が目視できないようにして複数の液晶表示画面を一体化して一つの表示画面として表示することができる。
【００２４】
また、請求項８に係る発明の遊技機では、請求項１乃至７の何れかに記載の表示装置を遊技盤に備えているので、遊技機においても請求項１乃至７の何れかに記載の発明と同様の効果を奏することができる。
【００２５】
また、請求項９に係る発明の遊技機では、請求項４乃至７の何れかに記載の表示装置を遊技盤に備え、駆動手段の駆動により複数の表示画面が互いに離反したときに、その複数の表示画面の間から遊技部材を露出させることができる。従って、従来と異なった遊技性を備えた遊技機を実現できる。
【００２６】
また、請求項１０に係る発明の遊技機では、３、５乃至７の何れかに記載の表示装置を遊技盤に備え、駆動手段の駆動により複数の光路変更手段が互いに離反したときに、その複数の光路変更手段の間から遊技部材を露出させることができる。従って、従来と異なった遊技性を備えた遊技機を実現できる。
【発明を実施するための最良の形態】
【００２７】
以下、本発明に係る表示装置を備えた遊技機の一実施の形態であるパチンコ機１について、図面を参照して説明する。まず、図１及び図２を参照して、パチンコ機１の機械的構成について説明する。図１及び図２は、パチンコ機１の正面図であり、図２は、遊技盤２の正面図である。
【００２８】
図１に示すように、パチンコ機１の正面の上半分の部分には、発射ハンドル７の操作により図示外の発射機から発射された遊技媒体としての遊技球が流下する遊技盤２が設けられている。この遊技盤２は略正方形であり（図２参照）、透明なガラス板を保持したガラス枠１３で保護されている。遊技盤２の下方部には、発射機に遊技球を供給し、かつ賞品球を受ける上皿５が設けられている。そして、上皿５の直下には、賞品球を受ける下皿６が設けられ、下皿６の右横には遊技球の発射を調整する発射ハンドル７が設けられている。
【００２９】
尚、ガラス枠１３の遊技盤２の遊技領域４を囲む部分には、正面視、円弧状の表枠ランプ３１が設けられ、内部に図示外のランプが内蔵されている。また、ガラス枠１３の右上のコーナーにはスピーカ３６が設けられ、ガラス枠１３の左上のコーナーにもスピーカ３７が設けられている。
【００３０】
また、図２に示すように、遊技盤２の前面にはガイドレール３で囲まれた略円形の遊技領域４が設けられている。この遊技領域４の略中央には、液晶表示装置（ＬＣＤ）から構成された演出図柄表示部２８や普通図柄表示部２４、各種ランプ、ＬＥＤを備えた図柄表示装置８が設けられている。この図柄表示装置８の左右斜め上方には電飾風車９，１０がそれぞれ設けられている。また、図柄表示装置８の左側方には普通図柄始動ゲート１２が設けられている。また、図柄表示装置８の下側には特別図柄始動電動役物１５が設けられている。そして、その特別図柄始動電動役物１５の下方に、大入賞口１６が設けられている。そして、特別図柄始動電動役物１５の左右には普通入賞口１９，２０がそれぞれ設けられており、大入賞口１６の左右にも普通入賞口１７，１８がそれぞれ設けられている。
【００３１】
また、図柄表示装置８の左右両肩にはワープ入口２２，２３がそれぞれ設けられている。さらに、図柄表示装置８の下部にはワープ出口（図示外）が設けられ、これらのワープ入口２２，２３を通過した遊技球は図柄表示装置８の内部（ワープゾーン）を通ってワープ出口（図示外）へ現出するようになっている。ワープ出口（図示外）に現出した遊技球は、振り分け部材２１の直下に設けられている特別図柄始動電動役物１５に向かって落下するので、特別図柄始動電動役物１５に入賞し易いようになっている。
【００３２】
また、図２に示すように、図柄表示装置８の上部には、７セグメントＬＥＤから構成される普通図柄表示部２４及び特別図柄表示部３８が並んで設けられている。この普通図柄表示部２４及び特別図柄表示部３８には、各々、１桁の数字や１文字のアルファベット等の図柄を表示できるようになっている。尚、遊技盤２には、上記以外に、種々の電飾ランプ、その他の電飾用のＬＥＤ、風車及び多数の障害釘等が設けられている。
【００３３】
次に、図３及び図４を参照して、図柄表示装置８の演出図柄表示部２８に設けられる表示画面について説明する。図３及び図４は、図柄表示装置８の正面図である。図柄表示装置８の正面中央部に設けられた演出図柄表示部２８には、左側に表示画面２６が設けれ、右側に表示画面２７が設けられている。これらの表示画面２６及び表示画面２７は、各々、液晶表示装置から構成され、表示画面２６及び表示画面２７の周囲には、各々、所定幅のフレーム部２６ａ，２７ａが額縁のように設けられている。これらのフレーム部２６ａ，２７ａは、金属製の枠部であり、表示画面２６及び表示画面２７を構成する液晶表示装置の画面部を保持する役目を有している。
【００３４】
また、この表示画面２６及び表示画面２７の前面側には、表示画面２６及び表示画面２７と対向する位置に、各々、光路変更手段としての光学レンズ６０，６１が図示外の固定金具により固定されている。従って、表示画面２６と光学レンズ６０は一体に構成され、また、表示画面２７と光学レンズ６１とは一体に構成され、後述する駆動手段としてのモータ８０，８１及びボールネジ８０ａ，８１ａによる駆動により、図３に示すように、表示画面２６及び表示画面２７が閉じた状態と、図４に示すように、表示画面２６及び表示画面２７が開いて、遊技部材であるキャラクターの人形８３が露出した状態という２つの状態の間で移動可能となっている。
【００３５】
次に、図５乃至図１１を参照して、表示画面２６，２７及び光学レンズ６０，６１について詳細に説明する。図５は、光学レンズ６０，６１を取り去った状態での表示画面２６及び表示画面２７が互いに側面を当接した状態の正面図であり、図６は、光学レンズ６０，６１の斜視図であり、図７は、光学レンズ６０，６１の底面図であり、図８は、光学レンズ６０，６１と表示画面２６，２７とを組み合わせた状態を示す底面図であり、図９は、光学レンズ６０，６１と表示画面２６，２７とを組み合わせた状態を示すで斜視図であり、図１０は、表示画面２６，２７の光路Ｒが変更される状態を示す概念図であり、図１１は、表示画面２６，２７及び光学レンズ６０，６１の駆動機構を示す正面図である。
【００３６】
図５に示すように、表示画面２６，２７は、各々、略４対３の縦長の長方形の液晶画面から構成され、その周囲には、各々、所定幅のフレーム部２６ａ，２７ａが額縁形状に設けられている。従って、表示画面２６及び表示画面２７が閉じた状態でも、表示画面２６と表示画面２７との間には、フレーム部２６ａ，２７ａが存在して、表示画面２６及び表示画面２７から構成される演出図柄表示部２８としては、中央部に縦に画面を分断する部分（フレーム部２６ａ，２７ａ）が存在することになる。
【００３７】
これに対して、光学レンズ６０，６１は、演出図柄表示部２８に存在するフレーム部２６ａ，２７ａを遊技者から目視できないように表示画面２６及び表示画面２７からの光路Ｒを変更する光路変更手段として設けられているものである。図６に示すように、光学レンズ６０，６１の形状は、平面視、略４対３の縦長の長方形に形成された変形レンズであり、その大きさは、図８及び９に示すように、表示画面２６及び表示画面２７よりは、１周り大きく形成され、フレーム部２６ａ，２７ａ上までをカバーするようになっている。尚、光学レンズ６０，６１としては、リニアフレネルレンズ等を用いることができる。また、表示画面２６，２７及び光学レンズ６０，６１は、遊技盤２の表面（遊技者に対向する面）に対しては、パチンコ機１の後方（裏面側方向）に位置するように配置されている。さらに、表示画面２６と光学レンズ６０、表示画面２７と光学レンズ６１は、各々密着させても、また、所定の空間を設けても、何れでも良い。
【００３８】
また、図８に示すように、フレーム部２６ａ，２７ａが互いに当接する部分（演出図柄表示部２８の中央部（図３参照））の上部に位置する光学レンズ６０，６１の表示画面２６，２７に対向する側の端部６０ａ，６１ｂは、図７に示す底面図では、曲線状であり、また、図６に示す斜視図では、略円筒面の一部から構成された曲面形状に形成されている。従って、図１０に示すように、表示画面２６，２７からの光路Ｒは、光学レンズ６０，６１の端部６０ａ，６１ｂでは屈折され、端部６０ａ，６１ｂ以外の場所では、平行に光学レンズ６０，６１を通過する。従って、遊技者が正面から表示画面２６，２７を目視した場合には、光学レンズ６０，６１の光路変更手段としての働きにより、フレーム部２６ａ，２７ａが光路の屈折により目視されず、表示画面２６及び表示画面２７が、恰も一つの表示画面を構成するように見える。図１４にその一例を示す。図１４は、フレーム部を見えなくする原理を示す観念図である。図１４に示すように、表示画面２６及び表示画面２７に表示され、フレーム部２６ａ，２７ａにより分割された富士山の図柄が、光学レンズ６０，６１によりフレーム部２６ａ，２７ａの光路Ｒが屈折により変更され、一つの富士山の図柄として、遊技者に視認される。
【００３９】
次に、図１１を参照して、表示画面２６，表示画面２７及び光学レンズ６０，６１を移動させる駆動手段について説明する。図１１に示すように、表示画面２６及び光学レンズ６０を移動させる駆動手段としては、モータ８０を表示画面２６の左側上方に設け、当該モータ８０の駆動軸（図示外）にボールネジ８０ａを固定して、表示画面２６の上端部と平行に延設する。このボールネジ８０ａは、図示外の支持金具で回動可能に保持されている。そして、ボールネジ８０ａには、表示画面２６の上部のフレーム部２６ａに固定されたナット部８０ｂが螺合しており、モータ８０の駆動により表示画面２６が左右方向（図１１に於ける）に移動可能となっている。
【００４０】
また、表示画面２７及び光学レンズ６１を移動させる駆動手段としては、モータ８１を表示画面２７の右側上方に設け、当該モータ８１の駆動軸（図示外）にボールネジ８１ａを固定して、表示画面２７の上端部と平行に延設する。このボールネジ８１ａは、図示外の支持金具で回動可能に保持されている。また、ボールネジ８１ａには、表示画面２７の上部のフレーム部２７ａに固定されたナット部８１ｂが螺合しており、モータ８１の駆動により表示画面２７が左右方向（図１１に於ける）に移動可能となっている。
【００４１】
次に、本実施の形態のパチンコ機１の電気的構成について、図１２を参照して説明する。図１２は、パチンコ機１の電気的回路構成を示すブロック図である。図１２に示すように、制御部４０は、主基板４１、電源基板４２、音基板４３、図柄表示基板４４、払出制御基板４５、電飾基板４６、中継基板４７及びサブ統合基板５８から構成されている。この制御部４０は、パチンコ機１（図１参照）の裏側（背面側）に設けられている。
【００４２】
パチンコ機１の主制御を司る主基板４１には、プログラムにしたがって各種の処理を行うＣＰＵユニット５０が設けられている。このＣＰＵユニット５０には、各種の演算処理を行うＣＰＵ５１と、フラグやカウンタ等の演算処理中に発生するデータの値等を一時的に記憶するＲＡＭ５２と、制御プログラム、各種データの初期値、他の基板への指示を行うコマンド等を記憶したＲＯＭ５３とが設けられており、これらは一つのＬＳＩとして一体にモールディングされている。また、ＣＰＵユニット５０には割込信号発生回路５７が接続され、この割込信号発生回路５７は、例えば、０．００２秒（以下、「２ｍｓ」と略す。）毎にＣＰＵ５１に割込信号を与えるようになっている。ＣＰＵ５１は、この割込信号が入力される毎にＲＯＭ５３に記憶されている制御プログラムを実行し、この制御プログラムにしたがってパチンコ機１の制御を行う。
【００４３】
また、主基板４１にはＩ／Ｏインタフェイス５４が設けられており、サブ統合基板５８、払出制御基板４５、中継基板４７と接続されている。また、Ｉ／Ｏインタフェイス５４には、特別図柄始動電動役物１５に入賞した遊技球を検出する始動口スイッチ７２と、大当たりの発生や、図示外の遊技場管理用コンピュータにパチンコ機１の情報を出力する出力ポート５５が接続されている。
【００４４】
さらに、音基板４３、図柄表示基板４４及び電飾基板４６は、サブ統合基板５８を介して主基板４１に接続されている。払出制御基板４５は賞品球払出装置４９の制御を行い、中継基板４７はスイッチやソレノイドの配線の中継を行っている。また、サブ統合基板５８は音基板４３、図柄表示基板４４、電飾基板４６の総合的な制御を行っており、音基板４３はパチンコ機１の効果音の発生を制御し、図柄表示基板４４は演出図柄表示部２８及び普通図柄表示部２４に表示される図柄の制御を行い、電飾基板４６はパチンコ機１の各電飾の発光態様を制御している。
【００４５】
尚、サブ統合基板５８にはＣＰＵ５８１、ＲＡＭ５８２及びＲＯＭ５８３が設けられている。そして、音基板４３にはＣＰＵ４３ａや図示外の入力インタフェイス、ＲＡＭ及びＲＯＭが内蔵されており、図柄表示基板４４にはＣＰＵ４４ａや図示外の入力インタフェイス、ＲＡＭ及びＲＯＭが内蔵されている。また、電飾基板４６にはＣＰＵ４６ａや図示外の入力インターフェイス、ＲＡＭ４６ｂ、ＲＯＭ４６ｃ、ＬＥＤ駆動回路４６ｄが内蔵されている。また、電飾基板４６には、電飾風車９，１０、４個のＬＥＤから構成された装飾ＬＥＤ３３及び表枠ランプ３１が接続されている。
【００４６】
また、図柄表示基板４４には演出図柄表示部２８を構成する表示画面２６，２７が接続され、さらに、モータ８０，８１を制御するモータ制御部８２が接続されている。また、音基板４３にはスピーカ３６，３７が接続されている。
【００４７】
さらに、払出制御基板４５にはプリペイドカードを読み取り、貸出球数を指示する信号を出力するカードユニット３９と、遊技球を発射する発射装置（図示外）を制御する発射制御基板６４と、遊技球を払い出す賞品球払出装置４９とが接続されている。また、払出制御基板４５には、払出制御基板４５の制御を司るＣＰＵ４５ａと、データを一時的に記憶するＲＡＭ４５ｂと、予めデータが記憶されたＲＯＭ４５ｃとが設けられている。
【００４８】
さらに、中継基板４７には、大入賞口１６の開閉部材を開放・閉鎖する大入賞口開放ソレノイド７０、特別図柄始動電動役物１５の開閉部材を開放・閉鎖する電動役物開放ソレノイド７１、普通図柄始動ゲート１２に入賞した遊技球を検出する普通図柄作動スイッチ７３、大入賞口１６に入賞した遊技球数を計数するためのカウントスイッチ７５、普通入賞口１７，１８，１９，２０に入賞した遊技球を検出する入賞口スイッチ７６、実際に払い出された賞球数を検出する賞球スイッチ７７と、特別図柄表示部３８及び普通図柄表示部２４が接続されている。
【００４９】
また、電源基板４２は、直流の安定化した電力を主基板４１及び発射制御基板６４に供給し、主基板４１からは、音基板４３、図柄表示基板４４、払出制御基板４５、電飾基板４６、中継基板４７及びサブ統合基板５８に電源が供給される。尚、電源基板４２には交流２４Ｖが供給されている。電源基板４２には、図示外のシリコンダイオードブリッジからなる整流器、電解コンデンサからなる平滑回路、レギュレータＩＣからなる安定化回路等が設けられており、安定化された直流の１２Ｖ及び５Ｖ等を各基板へ供給できるようになっている。尚、図１２では、特に図示しないが、主基板４１、電源基板４２、音基板４３、図柄表示基板４４、払出制御基板４５、電飾基板４６、中継基板４７及びサブ統合基板５８は、すべてアースラインで接続されている。
【００５０】
次に、上記の構成を有するパチンコ機１の表示画面２６，２７及び光学レンズ６０，６１の動作について説明する。パチンコ機１では、遊技者の遊技により、発射された遊技球が特別図柄始動電動役物１５に入賞したときに、乱数を用いた抽選を主基板４１のＣＰＵ５１が行う。このときに、大当たり乱数を引いており、大当たりとなる場合や所謂「スーパーリーチ」となる場合には、主基板４１のＣＰＵ５１から制御のコマンド信号がサブ統合基板５８に送られ、サブ統合基板５８から図柄表示基板４４に制御のコマンド信号が送られる。そして、図柄表示基板４４のＣＰＵ４４ａがモータ制御部８２にコマンド信号を送ってモータ制御部８２が、モータ８０，８１を制御して、図３に示す、表示画面２６，２７及び光学レンズ６０，６１が閉じた状態から、図４に示す表示画面２６，２７及び光学レンズ６０，６１が互いに離間する方向（外側方向）に移動して、遊技部材であるキャラクターの人形８３が露出した状態になる。
【００５１】
その後、モータ８０，８１の駆動軸が逆転して、表示画面２６，２７及び光学レンズ６０，６１が互いに当接する方向（中心方向）に移動して、図３に示すように表示画面２６，２７のフレーム部２６ａ、２７ａが当接した状態になる。このときに、光学レンズ６０，６１が表示画面２６，２７を覆うように設けられており、表示画面２６，２７からの光路Ｒは、光学レンズ６０，６１の端部６０ａ，６１ｂでは屈折され、端部６０ａ，６１ｂ以外の場所では、平行に光学レンズ６０，６１を通過する。
【００５２】
従って、遊技者が正面から表示画面２６，２７を目視した場合には、光学レンズ６０，６１の光路変更手段としての働きにより、フレーム部２６ａ，２７ａが目視されず、表示画面２６及び表示画面２７が、恰も一つの表示画面を構成するように見える。
【００５３】
以上説明したように実施の形態のパチンコ機１では、フレーム部２６ａ，２７ａを有する液晶表示装置から構成された表示画面２６，２７を用いても、光学レンズ６０，６１により、表示画面２６，２７からの光路Ｒが変更され、フレーム部２６ａ，２７ａが目視されず、表示画面２６及び表示画面２７が、恰も一つの表示画面を構成するように見える。従って、独立した複数の表示画面を擬似的な一画面とすることができる。また、駆動手段である、モータ８０，８１は、表示画面２６，２７及び光学レンズ６０，６１を互いに、近接又は離反可能に移動させるので、独立した複数の表示画面と、擬似的な一画面とを使い分けることが可能となり、演出の向上を図ることができる。
【００５４】
尚、本発明は、上記実施の形態に限らず各種の変形が可能である。例えば、上記実施の形態では、表示画面２６，２７と光学レンズ６０，６１とを各々一体にして、移動可能としていたが、表示画面２６，２７は、予め所定間隔を空けて図柄表示装置８に固定し、光学レンズ６０，６１のみをモータ８０，８１及びボールネジ８０ａ，８１ａによる駆動手段により左右方向に開閉するようにしても良い。
【００５５】
また、図１３（変形例を示す図柄表示装置８の正面図）に示すように、表示画面２６と表示画面２７との間から遊技球の入賞口８４が露出するようにしても良い。さらに、表示画面２６，２７は、予め所定間隔を空けて図柄表示装置８に固定し、光学レンズ６０，６１のみを移動させるようにした場合には、表示画面２６と表示画面２７との間に、遊技球の入賞口８４を設けて、光学レンズ６０，６１が外方向に移動した時に、入賞口８４が表れるようにしても良い。
【００５６】
さらに、表示画面及び光路変更手段は、各々２つに限られず、横方向に３個配置したり、４個で田の字形状に配置しても良く、即ち、複数であれば、いくつでも良い。
【００５７】
また、光路変更手段としての光学レンズ６０，６１は、上記実施の形態では、その一部のみが略円筒面の一部から構成された曲面形状になっているが、表示画面２６，２７に対向する面を全て曲面形状にし、中央部のフレーム部２６ａ，２７ａ対向する端部６０ａ，６１ｂの曲率半径を小さくして他の部分を緩やかな曲面にして、当該端部６０ａ，６１ｂを通過する光路が屈折されて、フレーム部２６ａ，２７ａが目視できないようにしても良い。また、光学レンズ６０，６１の遊技者に対向する側の面（表示画面２６，２７に対向する側と反対側の面）についても緩やかな曲面にしても良い。即ち、光学レンズ６０，６１は、中央部のフレーム部２６ａ，２７ａを目視できないように光路を変更する光学素子であれば良い。
【００５８】
また、光路変更手段は、光学レンズに限られず、光路を変更できるものであれば良く、例えば、複数の光ファイバーを束ねて構成されたファイバープレート等を用いて、表示画面２６，２７のフレーム部２６ａ，２７ａを見えないように表示画面２６，２７からの光路を屈曲しても良い。さらに、上記実施の形態では、光学レンズ６０，６１を２つ用いたが、光学レンズとしては、開閉して遊技部材を露出させる必要がない場合には、光学レンズ６０，６１を一体とした形状のものを用いて、表示画面２６，２７のフレーム部２６ａ，２７ａを見えないように表示画面２６，２７からの光路を屈曲しても良い。また、フレーム部２６ａ，２７ａを目視できなくするだけでなく、表示画面２６，２７の間に所定の間隔を空けて、その間隔を本発明の光路変更手段を用いて、目視できなくしても良い。
【００５９】
さらに、本発明は、パチンコ機等の遊技機に限られず、複数の表示画面を用いるものであれば、各種の表示装置、電子装置、機械器具に使用可能である。例えば、大型のディスプレー装置を複数の液晶表示パネルで構成し、フレーム部を見えなくすることに本発明を適用しても良い。
【産業上の利用可能性】
【００６０】
本発明はパチンコ機に限られず、パチコン機、パチスロ機等の各種の遊技機、各種の表示装置、各種の電子機器等に適用可能である。
【図面の簡単な説明】
【００６１】
【図１】パチンコ機１の正面図である。
【図２】遊技盤２の正面図である。
【図３】図柄表示装置８の正面図である。
【図４】図柄表示装置８の正面図である。
【図５】光学レンズ６０，６１を取り去った状態での表示画面２６及び表示画面２７が互いに側面を当接した状態の正面図である。
【図６】光学レンズ６０，６１の斜視図である。
【図７】光学レンズ６０，６１の底面図である。
【図８】光学レンズ６０，６１と表示画面２６，２７とを組み合わせた状態を示す底面図である。
【図９】光学レンズ６０，６１と表示画面２６，２７とを組み合わせた状態を示すで斜視図である。
【図１０】表示画面２６，２７の光路Ｒが変更される状態を示す概念図である。
【図１１】表示画面２６，２７及び光学レンズ６０，６１の駆動機構を示す正面図である。
【図１２】パチンコ機１の電気的回路構成を示すブロック図である。
【図１３】変形例を示す図柄表示装置８の正面図である。
【図１４】フレーム部を見えなくする原理を示す観念図である。
【符号の説明】
【００６２】
１  パチンコ機
２  遊技盤
８  図柄表示装置
１５  特別図柄始動電動役物
１６  大入賞口
１７  普通入賞口
１９  普通入賞口
２４  普通図柄表示部
２６  表示画面
２６ａ  フレーム部
２７  表示画面
２７ａ  フレーム部
２８  演出図柄表示部
３１  表枠ランプ
３６  スピーカ
３７  スピーカ
３８  特別図柄表示部
４０  制御部
４１  主基板
４２  電源基板
４３  音基板
４４  図柄表示基板
４５  払出制御基板
４６  電飾基板
４７  中継基板
４９  賞品球払出装置
５０  ＣＰＵユニット
５８  サブ統合基板
６０  光学レンズ
６１  光学レンズ
６０ａ  端部
６１ａ  端部
６４  発射制御基板
８０  モータ
８０ａ  ボールネジ
８０ｂ  ナット部
８１  モータ
８１ａ  ボールネジ
８１ｂ  ナット部
８２  モータ制御部
８４  入賞口
【図１】
2006346349.tif 000003
【図２】
2006346349.tif 000004
【図３】
2006346349.tif 000005
【図４】
2006346349.tif 000006
【図５】
2006346349.tif 000007
【図６】
2006346349.tif 000008
【図７】
2006346349.tif 000009
【図８】
2006346349.tif 000010
【図９】
2006346349.tif 000011
【図１０】
2006346349.tif 000012
【図１１】
2006346349.tif 000013
【図１２】
2006346349.tif 000014
【図１３】
2006346349.tif 000015
【図１４】
2006346349.tif 000016